(57)【要約】      （修正有）【課題】殺菌除塵機能付きの立体式煙霧浄化装置を提供する。【解決手段】浄化器１の頂部に２つの可撓性グースネックが固定接続され、２つの可撓性グースネックにおける浄化器１と反対側の一端に吸気口が固定接続されており、浄化器１の底部の４隅位置に支座が固定接続され、浄化器１の一側に支持ロッドが固定接続され、支持ロッドにおける浄化器１と反対側の一端と支座の頂部とが固定接続されており、浄化器１の内部に可撓性グースネックに連通する濾過手段６が固定接続され、濾過手段６の内部に上から順次に第１濾過層６０１、第２濾過層６０２、活性炭濾過層６０３および固体顆粒除臭層６０４が固定接続され、濾過手段６の底部に濾過手段６に連通する消毒殺菌室７が固定接続され、消毒殺菌室７の内側に紫外線ライト８が固定接続されており、消毒殺菌室７の底部に消毒殺菌室に連通する抽気機９が固定接続され、抽気機９の出気端に出気管１０が固定接続されている。【選択図】図３
0003229717.tif 000002
【実用新案登録請求の範囲】
【請求項１】
浄化器１を含み、前記浄化器１の頂部に２つの可撓性グースネック２が固定接続され、２
つの前記可撓性グースネック２における浄化器１と反対側の一端に吸気口３が固定接続さ
れており、
前記浄化器１の底部の４隅位置に支座４が固定接続され、前記浄化器１の一側に支持ロッ
ド５が固定接続され、前記支持ロッド５における浄化器１と反対側の一端と支座４の頂部
とが固定接続されており、
前記浄化器１の内部に可撓性グースネック２に連通する濾過手段６が固定接続され、前記
濾過手段６の内部に上から順次に第１濾過層６０１、第２濾過層６０２、活性炭濾過層６
０３および固体顆粒除臭層６０４が固定接続され、前記濾過手段６の底部に濾過手段６に
連通する消毒殺菌室７が固定接続され、前記消毒殺菌室７の内側に紫外線ライト８が固定
接続されており、
前記消毒殺菌室７の底部に消毒殺菌室３に連通する抽気機９が固定接続され、前記抽気機
９の出気端に出気管１０が固定接続されている、
ことを特徴とする殺菌除塵機能付きの立体式煙霧浄化装置。
【請求項２】
２つの前記可撓性グースネック２の材質はポリプロピレンとし、２つの前記可撓性グース
ネック２はいずれも吸気口３に連通し、２つの前記可撓性グースネック２はいずれも濾過
手段６に連通していることを特徴とする請求項１に記載の殺菌除塵機能付きの立体式煙霧
浄化装置。
【請求項３】
前記支座４は浄化器１底部の４隅位置に固定接続され、前記支座４の縦断面は台形状とす
ることを特徴とする請求項１に記載の殺菌除塵機能付きの立体式煙霧浄化装置。
【請求項４】
前記支持ロッド５の一端と浄化器１の外側とが半田付け接続され、前記支持ロッド５の他
端と支座４の頂部とが固定接続されていることを特徴とする請求項１に記載の殺菌除塵機
能付きの立体式煙霧浄化装置。
【請求項５】
前記第１濾過層６０１の孔径は２ｍｍとし、前記第２濾過層６０２の孔径は１ｍｍとする
ことを特徴とする請求項１に記載の殺菌除塵機能付きの立体式煙霧浄化装置。
【考案の詳細な説明】
【技術分野】
【０００１】
本実用新案は、煙霧浄化の技術分野に関するもので、特に、殺菌除塵機能付きの立体式煙
霧浄化装置に関する。
【従来の技術】
【０００２】
現在の煙霧浄化装置は、効果的に、煙塵を吸出して気体を浄化することができるもので、
溶接、ポリッシング、切断、研磨などの工程で発生する煙塵や粉塵の浄化、および希少金
属、貴重品の回収などで空中に大量に浮遊し人体に有害な微細金属粒子の浄化など、に用
いられている。主に煙塵汚染がひどいところ、例えば工場内で適用されている。
【０００３】
従来の煙霧浄化装置の欠点は、下記の点がある。
・空気中の金属粒子や塵埃を浄化することができるが、工場内の空気の消臭、除菌にあた
っては、その機能がないか、あるとしても効果がよくないかなどで、結局排出した空気が
臭いのが現状である。
【０００４】
・一般的に可撓性グースネックが設置されているが、煙霧浄化装置というのが、便利に使
用できるために軽量化の要求のあるものである反対、可撓性グースネックの原因で、実際
の使用では、装置全体の重心を偏心させて不安定をもたらすことがある。
【考案の概要】
【０００５】
上記の問題を解決するために、本実用新案は、以下の殺菌除塵機能付きの立体式煙霧浄
化装置を提供する。
浄化器１を含み、前記浄化器１の頂部に２つの可撓性グースネック２が固定接続され、
２つの前記可撓性グースネック２における浄化器１と反対側の一端に吸気口３が固定接続
されており、前記浄化器１の底部の４隅位置に支座４が固定接続され、前記浄化器１の一
側に支持ロッド５が固定接続され、前記支持ロッド５における浄化器１と反対側の一端と
支座４の頂部とが固定接続されており、前記浄化器１の内部に可撓性グースネック２に連
通する濾過手段６が固定接続され、前記濾過手段６の内部に上から順次に第１濾過層６０
１、第２濾過層６０２、活性炭濾過層６０３および固体顆粒除臭層６０４が固定接続され
、前記濾過手段６の底部に濾過手段６に連通する消毒殺菌室７が固定接続され、前記消毒
殺菌室７の内側に紫外線ライト８が固定接続されており、前記消毒殺菌室７の底部に消毒
殺菌室３に連通する抽気機９が固定接続され、前記抽気機９の出気端に出気管１０が固定
接続されている、殺菌除塵機能付きの立体式煙霧浄化装置。
好ましくは、２つの前記可撓性グースネック２の材質はポリプロピレンとし、２つの前
記可撓性グースネック２はいずれも吸気口３に連通し、２つの前記可撓性グースネック２
はいずれも濾過手段６に連通している。
好ましくは、前記支座４は浄化器１底部の４隅位置に固定接続され、前記支座４の縦断
面は台形状とする。
好ましくは、前記支持ロッド５の一端と浄化器１の外側とが半田付け接続され、前記支
持ロッド５の他端と支座４の頂部とが固定接続されている。
好ましくは、前記第１濾過層６０１の孔径は２ｍｍとし、前記第２濾過層６０２の孔径
は１ｍｍとする。
【０００６】
本実用新案にかかる殺菌除塵機能付きの立体式煙霧浄化装置は、以下の利点を有する。
（１）可撓性グースネックにおける浄化器と反対側の一端に吸気口が固定接続されている
。浄化器１の作動に際して、抽気机に吸気口から煙霧を含む空気が吸入され、第１濾過層
の初歩浄化および第２濾過層の二次浄化を経て、大顆粒と小顆粒が濾過される。その後、
活性炭濾過層と固体顆粒除臭層を経て除臭および異味除去され、また消毒殺菌室を経て紫
外線ライトの照射により殺菌され、最終に出気管から排出される。このような動作によっ
て、煙霧質空気中の大小顆粒や微塵を除去するだけでなく、煙霧質空気を確実に除臭およ
び殺菌することもできる。これによって気管から排出する空気が清新になり得、煙霧質空
気を確実に除臭および殺菌することもできる。このため、従来の煙霧浄化装置における除
臭殺菌効果が理想的でないという欠陥を克服できる。
【０００７】
（２）浄化器の頂部に２つの可撓性グースネックが固定接続され、浄化器の底部の４隅位
置に支座が固定接続され、浄化器の一側に支持ロッドが固定接続され、支持ロッドにおけ
る浄化器と反対側の一端と支座の頂部とが固定接続されている。このようにして、支座に
よって浄化器の底部を確実に支持でき、如何にも可撓性グースネックを歪んでも、４つの
支座は浄化器の構成を安定状にすることもできる。それに加えて、浄化器と支座にそれぞ
れ固定接続する支持ロッドと共に、浄化器の構成安定性をよく維持し、浄化器の重心を安
定化する。
【図面の簡単な説明】
【０００８】
【図１】本実用新案の第１視角の構成模式図。
【図２】本実用新案の第２視角の構成模式図。
【図３】本実用新案の断面構成模式図。
【考案を実施するための形態】
【０００９】
以下、図面とともに、本実施形態を説明する。
図１〜図６に示されるよに、本殺菌除塵機能付きの立体式煙霧浄化装置は、浄化器１を含
み、浄化器１の頂部に２つの可撓性グースネック２が固定接続され、２つの可撓性グース
ネック２における浄化器１と反対側の一端に吸気口３が固定接続されており、浄化器１の
底部の４隅位置に支座４が固定接続され、浄化器１の一側に支持ロッド５が固定接続され
、支持ロッド５における浄化器１と反対側の一端と支座４の頂部とが固定接続されており
、浄化器１の内部に可撓性グースネック２に連通する濾過手段６が固定接続され、濾過手
段６の内部に上から順次に第１濾過層６０１、第２濾過層６０２、活性炭濾過層６０３お
よび固体顆粒除臭層６０４が固定接続され、濾過手段６の底部に濾過手段６に連通する消
毒殺菌室７が固定接続され、消毒殺菌室７の内側に紫外線ライト８が固定接続されており
、消毒殺菌室７の底部に消毒殺菌室３に連通する抽気機９が固定接続され、抽気機９の出
気端に出気管１０が固定接続されている。
【００１０】
一実施形態として、２つの可撓性グースネック２の材質はポリプロピレンとし、２つの可
撓性グースネック２はいずれも吸気口３に連通しており、支座４は浄化器１底部の４隅位
置に固定接続され、支座４の縦断面は台形状とすしており、支持ロッド５の一端と浄化器
１の外側とが半田付け接続され、支持ロッド５の他端と支座４の頂部とが固定接続されて
いる。これによって、如何にも可撓性グースネック２を歪んでも、４つの支座４は浄化器
１の構成を安定状にすることもできる。これに加えて、浄化器１と支座４にそれぞれ固定
接続する支持ロッド５と共に、浄化器１の構成安定性をよく維持する。
【００１１】
第１濾過層６０１の孔径は２ｍｍとし、第２濾過層６０２の孔径は１ｍｍとする。空気は
第１濾過層６０１の初歩浄化および第２濾過層６０２の二次浄化を経て、大顆粒と小顆粒
を濾過することができる。
【００１２】
本実用新案の動作について説明する。浄化器１の作動に際して、抽気机９に吸気口３から
煙霧を含む空気が吸入され、第１濾過層６０１の初歩浄化および第２濾過層６０２の二次
浄化を経て、大顆粒と小顆粒が濾過される。その後、活性炭濾過層６０３と固体顆粒除臭
層６０４を経て除臭および異味除去され、また消毒殺菌室７を経て紫外線ライト８の照射
により殺菌され、最終に出気管１０から排出される。
【００１３】
以上をまとめると、本殺菌除塵機能付きの立体式煙霧浄化装置は、可撓性グースネック２
における浄化器１と反対側の一端に吸気口３が固定接続されている。浄化器１の作動に際
して、抽気机９に吸気口３から煙霧を含む空気が吸入され、第１濾過層６０１の初歩浄化
および第２濾過層６０２の二次浄化を経て、大顆粒と小顆粒が濾過される。その後、活性
炭濾過層６０３と固体顆粒除臭層６０４を経て除臭および異味除去され、また消毒殺菌室
７を経て紫外線ライト８の照射により殺菌され、最終に出気管１０から排出される。この
ような動作によって、煙霧質空気中の大小顆粒や微塵を除去するだけでなく、煙霧質空気
を確実に除臭および殺菌することもできる。これによって気管１０から排出する空気が清
新になり得、煙霧質空気を確実に除臭および殺菌することもできるので、従来の煙霧浄化
装置における除臭殺菌効果が理想的でないという欠陥を克服している。浄化器１の頂部に
２つの可撓性グースネック２が固定接続され、浄化器１の底部の４隅位置に支座４が固定
接続され、浄化器１の一側に支持ロッド５が固定接続され、支持ロッド５における浄化器
１と反対側の一端と支座４の頂部とが固定接続されている。このようにして、支座４によ
って浄化器１の底部を確実に支持でき、如何にも可撓性グースネック２を歪んでも、４つ
の支座４は浄化器１の構成を安定状にすることもできる。これに加えて、浄化器１と支座
４にそれぞれ固定接続する支持ロッド５と共に、浄化器１の構成安定性をよく維持し、浄
化器１の重心を安定化する。
【００１４】
述べたものは、本考案の実施形態だけであり、前記の具体のな実施形態は、普通技術者は
本考案の原理と精神の範疇内において、各種の変形及び修正、置換、変形を行うことがで
きる。本実用新案の保護範囲は、実用新案登録請求の範囲及びその均等物である。
【符号の説明】
【００１５】
１    浄化器
２    可撓性グースネック
３    吸気口
４    支座
５    支持ロッド
６    濾過手段
６０１    第１濾過層
６０２    第２濾過層
６０３    活性炭濾過層
６０４    固体顆粒除臭層
７    消毒殺菌室
８    紫外線ライト
９    抽気機
１０    出気管
【図１】
0003229717.tif 000003
【図２】
0003229717.tif 000004
【図３】
0003229717.tif 000005